(57)【要約】      （修正有）【課題】排泄物の飛散により座席の後端部等が汚れないようにすると共に、座乗者が車椅子の座席から必ず立ち上がってから座席を前後方向にスライドさせる、座席を上方向に持ち上げる等の行為をしなくても良い車椅子を提供する。【解決手段】座席１１を支持するフレーム１と、フレームの後方側に設けられた左右一対の下部支持杆２と、下部支持杆に昇降可能に嵌合すると共に、背もたれ１４を有する左右一対の背もたれ取付け杆１２とを備え、座乗者の排泄を支援する車椅子であって、座乗者が洋式便器に排泄するとき、座席の後端部は洋式便器の便座の前に略当接するように位置付けられると共に、背もたれ取付け杆は、駆動力又は人為的な操作力のいずれかにより、肘当て１０よりも上方へ所要量上昇し、座乗者が座席の上面から便座上にお尻を後方へ突き出し、便座上に移乗することができる所要の開口部４０を有する。【選択図】図５
0003211184.tif 000002
【実用新案登録請求の範囲】
【請求項１】
座席（１１）を支持するフレーム（１）と、このフレームの後方側に設けられた右一対の下部支持杆（２）と、該下部支持杆に昇降可能に嵌合すると共に、背もたれ（１４）を有する左右一対の背もたれ取付け杆（１２）とを備え、座乗者（Ｍ）の排泄を支援する車椅子であって、前記座乗者が洋式便器（３０）に排泄するとき、前記座席（１１）の後端部は前記洋式便器の便座（３１）の前に略当接するように位置付けられると共に、前記背もたれ取付け杆は、駆動力又は人為的な操作力のいずれかにより、肘当て（１０）よりも上方へと所要量上昇し、前記座乗者は、前記座席の上面から前記便座上にそのお尻を後方へずるずる突き出し、かつ該尻を前記便座上に移乗させることができる所要の開口部（４０）を形成する車椅子。
【請求項２】
請求項１の車椅子に於いて、車椅子は背もたれ上下動手段を有し、該背もたれ上下動手段は、下部支持杆に取付けられた電動モーターと、この電動モーターの駆動軸に連結され、かつ該電動モーターの駆動力により回動する送りねじ部と、背もたれ取付け杆の下端部に設けられ、かつ前記送りねじ部に螺合するナット部と、前記電動モーター用電源を含むことを特徴とする車椅子。
【請求項３】
請求項１の車椅子に於いて、背もたれ上下動手段は、シリンダー装置であり、該シリンダー装置は、操作ハンドルの操作力に基づき圧力媒体が作動するオイルポンプ又はエアーポンプのいずれかを備え、前記オイルポンプ又はエアーポンプの作動杆は、前記圧力媒体の作動により昇降動することを特徴とする車椅子。
【請求項４】
請求項１の車椅子に於いて、座席は、座席本体と、この座席本体の先端部に引き出し式に嵌め込まれた補助座席とから成り、前記補助座席は、座乗者がそのお尻をずるずる突き出すときに、座席本体内へ、少なくともその一部を入れることができることを特徴とする車椅子。
【請求項５】
請求項１の車椅子に於いて、座席の後端部は、便器の先端部に向って平面視弧状に形成されていることを特徴とする車椅子。
【考案の詳細な説明】
【技術分野】
【０００１】
本考案は、座乗者が車椅子から立ったり、又は乗り降りしたりすることなく、用（例えば排泄）することができる車椅子に関する。
【背景技術】
【０００２】
特許文献１乃至特許文献３は、座乗者の排泄を支援する車椅に関するものである。普通一般に、車椅子の座乗者が、例えば被介護者、下半身が不自由な者である場合、排便する際、車椅子から立ったり、又は乗り降りしたりしなければないので、自ら排泄するのは非常に容易ではない。
【０００３】
そこで、特許文献１は、車椅子１の前方にサークル（補助設備）４を置き、このサークル４に掴まって立ち上がり、その後に、車椅子１のフレームに一体的に設けられた台座９から可動の座席本体３を上方へ持ち上げて該台座９から取り外し、或いは座席本体３を前記台座９の一側に設けた側板側に傾倒或いは略垂直状態になる姿勢まで回転させ、その後に、前記台座９に形成された平面視Ｕ字形の洋式便器配設部（排泄用開口部）１１に前記座乗者が腰を下ろして排便等をするものである（符号は特許文献１のもの）。
【０００４】
この特許文献１に記載の車椅子は、座乗者が健常者と同様な使用感で排泄を行うことができるという利点があるものの、車椅子１とは別個のサークル４が必要である、座乗者は排泄の際に一旦立ち上がらなければならない、車椅子は平面視Ｕ字形の洋式便器配設部を有する台座９と該台座９に嵌合する可動の座席本体３とから成るので、その構成が複雑であると共に、非常に大型化する、前記台座９の洋式便器配設部が該便座の上方に位置するようにして使用するので、排泄物の飛散により洋式便器配設部１１の縁部や下面が汚れる等の問題点があった。
【０００５】
特許文献２は、車椅子の左右一対の座席支持フレームをガイドレールとして構成し、この座席支持フレームに多数の帯状座板を、蝶番を介して前後方向に順次連結して構成した所定長の可動座席を前記座席支持フレームに係合させ、座乗者が排泄する際に、手動で前記所定長の可動座席を車椅子の前方方向に移動させて、該可動座席の後端と前記座席支持フレームと一体の背もたれフレームの下端部との間に、排泄用開口部を生成（形成）するものである。
【０００６】
この特許文献２に記載の車椅子も、座乗者が健常者と同様な使用感で排泄を行うことができる、可動座席を便座の上方から遠ざけるので、可動座席の後端部を極力汚れないようにすることができる等の利点があるものの、可動座席を車椅子の前方方向に移動させる際、座乗者が車椅子から立ち上がる必要があるという問題点があった。
【０００７】
さらに、特許文献３に記載の車椅子は、特許文献２車椅子とは逆の発想で、多数の帯状座板を前後方向に順次連結して構成した所定長の可動座部を左右一対の背もたれフレーム側へ位置変位させることができるものである。しかしながら、この特許文献３に記載の車椅子は、乗り降りする必要がないと、所定長の可動座部がフレーム側へ位置変位させるだけで良い等のいう利点があるものの、使用の際、少なくとも座乗者は立ち上がり、可動座部がフレーム側へ位置変位した後に、お尻を洋式便器の便座に下ろす必要があるので、座乗者が楽に排泄をするためには、もう少し何らかの工夫をする必要があった。また、車椅子の動座部の構成は、特許文献２の可動座席と同様なので、製作コストがかかるという問題点があった。
【先行技術文献】
【特許文献】
【０００８】
【特許文献１】特開２０１２−１０５９７６号公報
【特許文献２】特開２００９−１７２１０８号公報
【特許文献３】特開２０１２−１６１５０５号公報
【考案の概要】
【考案が解決しようとする課題】
【０００９】
本考案の主たる課題は、特許文献１乃至特許文献３の問題点に鑑み、座乗者の排泄を支援する車椅子に於いて、排泄物の飛散により座席の後端部等が汚れないようにすると共に、座乗者が車椅子の座席から必ず立ち上がってから座席を前後方向にスライドさせる、座席を上方向に持ち上げる、座席に排泄用の開口部を形成する等の行為をしなくても良い車椅子を提供することである。二次的な課題は、また背もたれが排泄に邪魔にならないと共に、座乗者が背もたれを手で押し上げる必要がないこと、既製構造の車椅子を極力改造しないで、本考案の主たる課題を達成すること、排泄の際、尻を後方へずるずる突き出した際に「ふくらはぎ」が邪魔にならないこと、容易に尻を後方へずるずる突き出すことができること、座席の後端部が洋式便座の先端部にフイットすること等である。
【考案の開示】
【課題を解決するための手段】
【００１０】
本考案の車椅子は、座席１１を支持するフレーム（１）と、このフレームの後方側に設けられた右一対の下部支持杆（２）と、該下部支持杆に昇降可能に嵌合すると共に、背もたれ（１４）を有する左右一対の背もたれ取付け杆（１２）とを備え、座乗者（Ｍ）の排泄を支援する車椅子であって、前記座乗者が洋式便器（３０）に排泄するとき、座席（１１）の後端部は前記洋式便器の便座（３１）の前に略当接するように位置付けられると共に、前記背もたれ取付け杆は、駆動力又は人為的な操作力のいずれかにより、肘当て（１０）よりも上方へと所要量上昇し、前記座乗者は、前記座席の上面から前記便座上にそのお尻を後方へずるずる突き出し、かつ該尻を前記便座上に移乗させることができる所要の開口部（４０）を形成することを特徴とする。
【００１１】
このように構成すると、排泄物の飛散により座席の後端部等が汚れないようにすると共に、座乗者が車椅子の座席から立ち上がってから座席を前後方向にスライドさせる、座席を上方向に持ち上げる、座席に排泄用の開口部を形成する等の行為をしなくても良い車椅子を提供することができる。また背もたれが排泄に邪魔にならないと共に、自動式の場合には座乗者が背もたれを手で押し上げる必要がない。
【００１２】
上記構成に於いて、背もたれ上下動手段は、下部支持杆に取付けられた電動モーターと、この電動モーターの駆動軸に連結され、かつ該電動モーターの駆動力により回動する送りねじ部と、背もたれ取付け杆の下端部に設けられ、かつ前記送りねじ部に螺合するナット部と、前記電動モーター用電源を含むことを特徴とする。また、背もたれ上下動手段は、シリンダー装置であり、該シリンダー装置は、操作ハンドルの操作力に基づき圧力媒体が作動するオイルポンプ又はエアーポンプのいずれかを備え、前記オイルポンプ又はエアーポンプの作動杆は、前記圧力媒体の作動により昇降動することを特徴とする。このように構成すると、安価であると共に、簡単な構成により、背もたれを有する昇降機の作動杆（背もたれ取付け杆）を上下動させることができる。
【００１３】
また上記構成に於いて、座席は、座席本体と、この座席本体の先端部に引き出し式に嵌め込まれた補助座席とから成り、前記補助座席は、座乗者がそのお尻をずるずる突き出すときに、座席本体内へ、少なくともその一部を入れることができる。このように構成すると、排泄の際、尻を後方へずるずる突き出した際に「ふくらはぎ」が邪魔にならない。
【００１４】
さらに、上記構成に於いて、座席は、少なくとも前後一対の水平支持杆を有する支持体に支持され、かつ多数の座板が順次連続するように接続した無端状の可動板であることを特徴する。このように構成すると、容易に尻を後方へずるずる突き出すことができる。加えて、上記構成に於いて、座席の後端部は、便器の先端部に向って平面視弧状に形成されていることを特徴とする。このように構成すると、座席の後端部が洋式便座の先端部にフイットするので、可能な限り尻を後方へ移すことができる。
【考案の効果】
【００１５】
本考案は、車椅子の後端部をそのまま洋式便器の便座の前に位置づけ、座乗者が車椅子の座席から立ち上がる等の余計な行動をとらなくても、そのまま座席の上面から前記便座上にお尻を後方へずるずる突き出す行為により、健常者と同様な使用感で排泄を行うことができる。
【図面の簡単な説明】
【００１６】
図１乃至図８は本考案の第１実施形態を示す各説明図、図９及び図１０は本考案の第２実施形態を示す各説明図である。
【図１】第１実施形態を示す斜視図。
【図２】右側面図。
【図３】要部の分解説明図。
【図４】座席の一実施形態を示す概略説明図。
【図５】背もたれの上下動を示す説明図。
【図６】洋式便器の先端部に座席の後端部が当たるように車椅子をバックさせる状態の説明図。
【図７】図６に於いて、背もたれを適宜位置まで上昇させた説明図。
【図８】座乗者のお尻が、座席から便座に移乗した一例を示す説明図。
【図９】第２実施形態の図２と同様の右側面図。
【図１０】図９に於いて、手動で背もたれ取付け杆１２を持ち上げた説明図。
【考案を実施するための形態】
【００１７】
以下、図１乃至図８を参照にして、本考案の第１実施形態の車椅子Ｘを説明する。まず、図１の斜視図及び図２の右側面図を参照にして車椅子Ｘの基本的な部材を説明する。１はフレーム（支持体）である。このフレーム１は、一対の前支持杆１ａと、これらの前支持杆と対向する一対の後支持杆１ｂと、前記前支持杆１ａ及び後支持杆１ｂの上端部に接続する矩形状の水平支持杆１ｃと、前記水平支持杆１ｃ、前支持杆１ａ及び後支持杆１ｂに接続すると共に、横倒れ略Ｌ字形状に折り曲げ形成された左右一対の肘当て１０用上部支持杆１ｄと、前記肘当て１０用上部支持杆１ｄの後端部、前記水平支持杆１ｃ後端部及び前述した後支持杆１ｂの側面にそれぞれ接続する左右一対のパイプ状下部支持杆２と、これらの下部支持杆２の下端部及び前記対の前支持杆１ａの下端部に接続する下部支持杆１ｅ、さらに、前記前支持杆１ａの略中間部及び該前支持杆１ａの端部に接続する足置き部用支持杆１ｆ等から構成されている。
【００１８】
上記の各支持杆１ａ〜１ｆは、図示しない補強杆等を設け、任意に折り曲げ形成することができるが、例えば既成の車椅子Ｘのフレーム（支持体）と同様に溶接、嵌合等により一体的に構成されている。したがって、フレーム１の本数、形状、溶接による一体構成等本考案の特定事項ではない。
【００１９】
しかしながら、本考案では、フレーム（支持体）１の一部を構成するパイプ状下部支持杆２及び該パイプ状下部支持杆２に上下方向に伸縮自在に嵌合（例えば嵌挿）する背もたれ１４を有する左右一対の背もたれ取付け杆１２が考案の特定事項なので、以下、これらの構成部材に絞って説明するので、考案の課題に関係のない事項（例えばブレーキレバー等）は省略する。
【００２０】
しかして、パイプ状下部支持杆２は、例えば図２で示すように、他の下部支持杆１ｅ、水平支持杆１ｃ及び上部支持杆１ｄの各後端部に後方側にやや傾倒状に接続していると共に、その下端部に駆動源としての電動モーター３を縦方向に備えている。
またパイプ状下部支持杆２に接続する下部支持杆１ｅの下端部寄りの部位には、水平車軸４がブラケット５を介して設けられ、さらに該水平車軸４の左右の突出端部には、左右一対の大径車輪（駆動輪）６が設けられている。そして、大径車輪６の前方で、かつ前述した前支持杆１ａの下端部には左右一対の小径車輪７が設けられていると共に、該小径車輪７の前方で、かつ前述した支持杆１ｆの先端部には左右一対の足置き部（フットプレート）８が回転可能に設けられている。
【００２１】
さらに、付言すると、車椅子Ｘは、普通一般に大径車輪６の外側にハンドルリム９を備え、座乗者Ｍが手でハンドルリム９を操作すると、任意の方向に大径車輪６が回る。したがって、車椅子Ｘは座乗者の操作力により自走行可能である。また車椅子Ｘは、普通一般に左右の大径車輪６の内側に略矩形状の水平支持杆１ｃ或いは適宜構造の支持体を介して矩形状の座席（座席シートも含む）１１を備え、該座席１１の後端部側に車椅子Ｘのフレーム１を構成する背もたれ取付け杆１２が設けられている。
【００２２】
しかして、この背もたれ取付け杆１２は、例えば床面Ｆ上に置かれた車椅子Ｘを示す図２を基準にすると、車椅子Ｘを普通に使用している状態の姿勢では伸縮状態であると共に、パイプ状下部支持杆２の上端２ａから所定量突出している。また背もたれ取付け杆１２は、後方に略「く」の字状に折り曲げ形成されたその上端部には把手１３が設けられている。さらに、背もたれ取付け杆１２は、その長さはパイプ状下部支持杆２の長さの略二倍或いは略１．５倍であり、様式便器３０への排泄時、昇降機を構成する駆動源３の駆動力により上昇するように構成されている。背もたれ取付け杆１２が上昇すると、該背もたれ取付け杆１２に一体的に張設した矩形状或いは帯状の背もたれ１４も上昇する（図５参照）。ところで、実施形態の矩形状の背もたれ１４は、例えば図１で示すように、肘当て用上部支持杆１ｄの後端部からやや後方に傾いた背もたれ取付け杆１２の上端部に固定された左右一対の短筒状固定体１４ａと、これらの短筒状固定体１４ａに対して傾いた背もたれ取付け杆１２の下端部に固定された左右一対の短筒状スライド体１４ｂと、これらの短筒状スライド体１４ｂ及び前記の短筒状固定体１４ａに張設状態に設けられたシート状背もたれ本体１４ｃとから成り、前記シート状背もたれ本体１４ｃは、排泄時、前記短筒状スライド体１４ｂを介して手で上方に所要量持ち上げることができる。
【００２３】
次に図３を参照にして背もたれ上下動手段（昇降機）Ｙの構成を説明する。背もたれ上下動手段Ｙは、後述する動力伝達手段と共に、前述した左右一対の駆動源（電動モーター）３及びこれらの駆動源３用電源１５を含む。前記電源１５は、小型のバッテリーであり、車椅子Ｘはバッテリーを適宜箇所に搭載している。好ましい搭載箇所はパイプ状下部支持杆２の側壁であり、該パイプ状下部支持杆２にバッテリー用箱型収納部１６を単数又は複数個設け、例えば手軽に持運びができる電動掃除機の如く、箱型収納部１６に電源１５を着脱自在に組み込んでいる。なお、駆動源３は、該駆動源に図示しない接続コードを介して接続する制御盤のスイッチを適宜に操作すると起動又は停止する。
【００２４】
しかして、図３に示す実施形態では、背もたれ上下動手段（昇降機）Ｙは、パイプ状下部支持杆２に取付けられた電動モーター３と、この電動モーターの駆動軸に連結され、かつ該電動モーター３の駆動力により回動する多条の送りねじ部１７と、背もたれ取付け杆１２の下端部に設けられ、かつ前記送りねじ部１７に螺合するナット部１８と、前述の電源１５とから成り、前記送りねじ部１７は、前記背もたれ取付け杆１２の下端部内に一体的に設けられている。
【００２５】
ところで、背もたれ上下動手段（昇降機）Ｙは、この実施形態に限定されるものではなく、例えばシリンダー装置を採用し、該シリンダー装置は、操作ハンドルの操作力に基づき圧力媒体が作動するオイルポンプ又はエアーポンプのいずれかを備え、前記オイルポンプ又はエアーポンプの作動杆は、前記圧力媒体の作動により昇降動する構成であっても良い。なお、前記シリンダー装置の圧力媒体が作動油である場合、図示しない加圧ハンドルの回動操作に基づくポンプ作用で作動油（オイル）をオイルタンクから吸引してシリンダー本体に供給する。またシリンダー装置の圧力媒体がエアである場合には、図示しないアエタンクを備え、加圧ハンドルの回動操作に基づくポンプ作用で作動エアをシリンダー本体に供給する。これらは周知技術なので、詳細な説明を割愛する。
【００２６】
次に、図４は座席１１の一実施形態を示す。この図４に於いて、座席１１は、座席本体１１ａと、この座席本体の先端部に引き出し式に嵌め込まれた補助座席１１ｂとから成り、前記補助座席１１ｂは、座乗者がそのお尻をずるずる突き出すときに、座席本体１１ａ内へ、少なくともその一部を入れることができる。ところで、前記補助座席１１ｂの先端部の左右側壁には、座席本体１１ａの先端部の左右側壁に当たる一対の小突起２１が設けられ、また補助座席１１ｂの先端部の上面中央部には、指掛け用凹所２２が形成されている。さらに、好ましくは座席本体１１ａの後端部は、洋式便器３０の先端部に向って平面視やや弧状に形成されている。なお、洋式便器３０は、周知のように上端開口および汚物落下口を有するボール部、このボール部の上面側に開閉自在に設置される便座３１及びカバー３２、前記汚物落下口に汚物貯留室を介して連通する汚物排出路を有する。
【００２７】
上記構成にあっては、例えば図６乃至図８で示すように車椅子Ｘを使用する。まず図６は、洋式便器３０の先端部に座席１１の後端部が位置するように配設した状態を示す。この図６で示すように、車椅子Ｘの座乗者Ｍは、該車椅子Ｘの向きを適宜に設定し、該座乗者Ｍのお尻が洋式便器３０の便座３１の先端部に極力近づくように車椅子Ｘの後端部を便座３１の先端部に近づける。この時、好ましくは座席の平面視弧状の後端部が便器の先端部にフイットするように接触させる。
【００２８】
次に座乗者Ｍは、図示しない制御盤の上昇用スイッチをＯＮにする。この上昇用スイッチをＯＮにすると、左右一対の駆動源３は同時に起動するので、左右一対の背もたれ取付け杆１２は同期的に上昇する。例えば背もたれ１４が座乗者Ｍの、肩、首、頭等の所要の位置まで上昇したならば、制御盤のスイッチをＯＦＦにする。したがって、図７は、図６に於いて、背もたれ１４を適宜位置まで上昇させたことを示すものである。この時、座乗者Ｍのお尻を便座３１上に移乗させることができる所要の開口部４０を生成すると共に、好ましくはシート状背もたれ本体１４ｃを左右一対の短筒状スライド体１４ｂを介して上方に所要量持ち上げる。
【００２９】
そこで、図８は、座乗者のお尻が、座席から便座に移乗した一例を示す説明図である。この図８では、座乗者Ｍは、座席１１の上面から便器３０の便座３１上にそのお尻を後方へずるずる突き出して該尻を前記便座上に移乗させる。この時、座乗者Ｍは、脚の長さ、体格、体調等を考えながら、補助座席１１ｂを座席本体１１ａ内へ、その一部又は全部を入れることができる。
【００３０】
ここで、座乗者Ｍの姿勢について付言すると、実施形態の座席１１は、いわゆる引き出しタイプなので、尻を便座上に移乗させた場合、座乗者Ｍの両脚は座上にやや伸ばした状態になる。したがって、好ましくは踵の後端部が補助座席１１ｂの先端部に当たるような姿勢にする。もちろん、座乗者Ｍの両脚が悪い場合には、図８の如く、両脚を座上に伸ばすことが困難な場合も多々あるので、実施形態によっては、座席１１を支持する左右の水平支持杆１ｃ、１ｃに図示しない左右一対の水平ガイドレールを固定的に設け、これらの水平ガイドレールに伸縮式（例えば折り畳み式）の座席を設け、可能な限り、座乗者Ｍの両脚を水平状態に伸ばさなくても良いように構成することができる。
【００３１】
そして、座乗者Ｍは、このようにして排泄が終わったならば、そのままお尻を便座３１上から座席本体１１ａへと移す。そうすると、左右一対の短筒状スライド体１４ｂは、背もたれ取付け杆１２の上端部側から自重で自然落下して、対応する左右のパイプ状下部支持杆２の上端に受け止められる。その結果、上方に折り畳み状になっていたシート状背もたれ本体１４ｃは、元の張設状態になる。
【００３２】
そこで、図７の状態になったら、座乗者Ｍは、制御盤の下降用スイッチをＯＮにする。そうすると、左右一対の駆動源３は同時に逆起動するので、左右一対の背もたれ取付け杆１２は同期的に下降し、元の図６の常態になる。
【００３３】
以上のように、本考案は、座乗者Ｍが洋式便器３０に排泄するとき、車椅子Ｘの座席１１の後端部は前記洋式便器の便座３１の前に略当接するように位置付けられると共に、車椅子Ｘの背もたれ取付け杆１２は、背もたれ上下動手段Ｙの駆動源３の駆動力により、肘当て１ｄよりも上方へと所要量上昇し、座乗者Ｍは、座席１１の上面から前記便座３１上にそのお尻を後方へずるずる突き出し、可能な限り該尻を便座上に移乗させることができる所要の開口部４０を生成（形成）する。
【００３４】
次に、図９及び図１０は本考案の第２実施形態を示す各説明図である。この第２実施形態の車椅子Ｘ１が前記第１実施形態のそれと主に異なる点は、駆動源３、電源１５、バッテリー用箱型収納部１６等を備えていなことである。すなわち、背もたれ上下動手段Ｙ１は、左右一対の駆動源（電動モーター）３及び駆動源３用電源１５を含まない。したがって、背もたれ上下動手段Ｙ１は、非常に簡易なものとなり、例えば手動の操作力により左右一対のパイプ状下部支持杆２から上昇する左右一対の背もたれ取付け杆１２ということに成る。
【００３５】
それ故に、本考案の車椅子（Ｘ、Ｘ１）は、座席１１を支持するフレーム１と、このフレームの後方側に設けられた右一対の下部支持杆２と、該下部支持杆に昇降可能に嵌合すると共に、背もたれ１４を有する左右一対の背もたれ取付け杆１２とを備え、座乗者Ｍの排泄を支援する車椅子であって、前記座乗者が洋式便器３０に排泄するとき、座席１１の後端部は前記洋式便器の便座３１の前に略当接するように位置付けられると共に、前記背もたれ取付け杆１２は、駆動力又は人為的な操作力のいずれかにより、肘当て１０よりも上方へと所要量上昇し、前記座乗者Ｍは、前記座席１１の上面から前記便座３１上にそのお尻を後方へずるずる突き出し、かつ該尻を前記便座上に移乗させることができる所要の開口部４０を生成（形成）するものである。                                    
【産業上の利用可能性】
【００３６】
本考案は、座乗者が車椅子から立ったり、又は乗り降りしたりすることなく、用（例えば排泄）することができる車椅子である。
【符号の説明】
【００３７】
Ｘ、Ｘ１…車椅子、
Ｙ…上下動手段、Ｍ…座乗者、
３０…洋式便器、
３１…便座、
１…フレーム、
２…下部支持杆、
３…駆動源（電動モーター）、
４…水平車軸、
６…大径車輪、
７…小径車輪、
８…足置き部、
９…ハンドルリム、
１０…肘当て、
１１…座席、
１１ａ…座席本体、
１１ｂ…補助座席、
１２…背もたれ取付け杆、
１３…把手、
１４…背もたれ、
４０…開口部。
【図１】
0003211184.tif 000003
【図２】
0003211184.tif 000004
【図３】
0003211184.tif 000005
【図４】
0003211184.tif 000006
【図５】
0003211184.tif 000007
【図６】
0003211184.tif 000008
【図７】
0003211184.tif 000009
【図８】
0003211184.tif 000010
【図９】
0003211184.tif 000011
【図１０】
0003211184.tif 000012
【手続補正書】
【提出日】平成29年4月25日(2017.4.25)
【手続補正１】
【補正対象書類名】実用新案登録請求の範囲
【補正対象項目名】請求項１
【補正方法】変更
【補正の内容】
【請求項１】
座席（１１）を支持するフレーム（１）と、このフレームの後方側に設けられた左右一対の下部支持杆（２）と、該下部支持杆に昇降可能に嵌合すると共に、背もたれ（１４）を有する左右一対の背もたれ取付け杆（１２）とを備え、座乗者（Ｍ）の排泄を支援する車椅子であって、前記座乗者が洋式便器（３０）に排泄するとき、前記座席（１１）の後端部は前記洋式便器の便座（３１）の前に略当接するように位置付けられると共に、前記背もたれ取付け杆は、駆動力又は人為的な操作力のいずれかにより、肘当て（１０）よりも上方へと所要量上昇し、前記座乗者は、前記座席の上面から前記便座上にそのお尻を後方へずるずる突き出し、かつ該尻を前記便座上に移乗させることができる所要の開口部（４０）を形成する車椅子。
【手続補正２】
【補正対象書類名】明細書
【補正対象項目名】００１０
【補正方法】変更
【補正の内容】
【００１０】
本考案の車椅子は、座席１１を支持するフレーム（１）と、このフレームの後方側に設けられた左右一対の下部支持杆（２）と、該下部支持杆に昇降可能に嵌合すると共に、背もたれ（１４）を有する左右一対の背もたれ取付け杆（１２）とを備え、座乗者（Ｍ）の排泄を支援する車椅子であって、前記座乗者が洋式便器（３０）に排泄するとき、座席（１１）の後端部は前記洋式便器の便座（３１）の前に略当接するように位置付けられると共に、前記背もたれ取付け杆は、駆動力又は人為的な操作力のいずれかにより、肘当て（１０）よりも上方へと所要量上昇し、前記座乗者は、前記座席の上面から前記便座上にそのお尻を後方へずるずる突き出し、かつ該尻を前記便座上に移乗させることができる所要の開口部（４０）を形成することを特徴とする。
【手続補正３】
【補正対象書類名】明細書
【補正対象項目名】００３５
【補正方法】変更
【補正の内容】
【００３５】
それ故に、本考案の車椅子（Ｘ、Ｘ１）は、座席１１を支持するフレーム１と、このフレームの後方側に設けられた左右一対の下部支持杆２と、該下部支持杆に昇降可能に嵌合すると共に、背もたれ１４を有する左右一対の背もたれ取付け杆１２とを備え、座乗者Ｍの排泄を支援する車椅子であって、前記座乗者が洋式便器３０に排泄するとき、座席１１の後端部は前記洋式便器の便座３１の前に略当接するように位置付けられると共に、前記背もたれ取付け杆１２は、駆動力又は人為的な操作力のいずれかにより、肘当て１０よりも上方へと所要量上昇し、前記座乗者Ｍは、前記座席１１の上面から前記便座３１上にそのお尻を後方へずるずる突き出し、かつ該尻を前記便座上に移乗させることができる所要の開口部４０を生成（形成）するものである。